(57)【特許請求の範囲】
【請求項１】
基板に部分的に形成した開口部に複数種類の回路部品の中の比較的大形の回路部品を配置し、同基板の表面又は裏面のいずれかの片面側だけに他の全ての回路部品を配置した耐雷保護回路基板を矩形薄型の第一筐体に収納したアレスタユニットと、
前記第一筐体と同一の厚さを有する横長台形の薄型の第二筐体に、前記第一筐体の下部から突出する前記基板の下端部にプラグイン方式で着脱自在に電気的かつ機械的に連結されるコネクタ部品を含む回路部品を組み込んだ端子台とを有し、
前記アレスタユニットの前記基板の上辺に前記耐雷保護回路基板の劣化の有無を表示するための発光素子を配設し、
前記端子台の中央部の前記コネクタ部品の両側に前記発光素子を点灯させるための一対の電源入力端子を配設し、前記端子台の両端部の上面から下面に貫通させて一対のネジ式接地端子を配設し、
前記端子台の上端部に前記アレスタユニットの基端部を着脱可能に連結して全体を同一厚さの薄型にしたことを特徴とするアレスタ装置。
【請求項２】
前記端子台の下面にレール取付金具を前記ネジ式接地端子でネジ止めして取り付け、このレール取付金具を端子台取付用ＤＩＮレールに着脱自在に連結した請求項１記載のアレスタ装置。
【請求項３】
複数の前記端子台を端子台厚さ方向で重合させて同一面上に整列させ、個々の端子台上に対応するアレスタユニットを連結すると共に、複数の端子台の両端部に直線状に並ぶ複数の前記電源入力端子に、この複数の電源入力端子の各々に接続される複数の接続端子部を連結バー部で一連に一体化した連接バー端子の各接続端子部を差込式に電気的かつ機械的に連接した請求項１又は２記載のアレスタ装置。
【請求項４】
複数の前記端子台を端子台厚さ方向で重合させて同一面上に整列させ、個々の端子台上に対応するアレスタユニットを連結すると共に、複数の端子台の両端部に直線状に並ぶ複数の前記接地端子に、この複数の接地端子の各々に接続される複数の接続端子部を連結バー部で一連に一体化した連接バー端子の各接続端子部を差込式に電気的かつ機械的に連接した請求項１又は２記載のアレスタ装置。
【発明の詳細な説明】
【０００１】
【発明の属する技術分野】
本発明は、電話回線や信号線が接続された端末機器の電気機器を雷サージから保護するアレスタ装置（避雷器）に関する。
【０００２】
【従来の技術と課題】
電話回線や信号線の途中に設置されて電話回線や信号線が接続された電気機器を雷サージによる誤動作、破損から保護するアレスタ装置は、サージ電圧を制限する耐雷素子や放電ギャップ等の回路部品を基板に実装した耐雷保護回路基板を箱形の絶縁性筐体に収納した構造で、筐体の両端部には電話回線や信号線等に結線されるネジ式結線端子等が配設されている（例えば、特許文献１参照）。
［特許文献１］実願平５−３９０３０号（実開平７−１１８１２号）のＣＤ−ＲＯＭ
【０００３】
このアレスタ装置が設置される例えば電話回線は、配電盤等に複数本が小ピッチで整列されて配線され、この複数本の電話回線の各々にアレスタ装置が設置される。通常において複数本の電話回線に設置される複数台のアレスタ装置は同じサイズ形状の同一種類のもので、複数台が一列状態に重合させて配置される。個々のアレスタ装置は厚さ方向と直交する幅方向の両端部に一対以上のネジ式結線端子を厚さ方向に配置した構造ゆえ厚さ方向の薄型化が難しくて、複数台のアレスタ装置を一列に重合させて配列すると全体の取付スペースが大きくなる。そのため、追加工事などで電話回線全てにアレスタ装置を取り付ける場合、取付スペースの確保ができなくなることがある。このような場合は、アレスタ装置の取付台数を減らしたり、重要な端末機器に接続された電話回線だけにアレスタ装置を取り付けることが行われるが、複数の電話回線の内のアレスタ装置が取り付けられていない回線から雷サージが侵入して被害が発生することがある。
【０００４】
また、配電盤等に取り付けたアレスタ装置に電話回線の絶縁電線を接続する結線作業や、アレスタ装置の接地端子にアース線を接続する作業は、アレスタ装置のネジ式結線端子でネジ止め式に、或いは、半田付け式で行うために作業工数が多くて作業性が悪い問題があった。
【０００５】
本発明の目的とするところは、取付スペースと結線等の作業性の問題を解消したコンパクトでスリムなアレスタ装置を提供することにある。
【０００６】
【課題を解決するための手段】
前記目的を達成するための技術的手段として、本発明は、基板に部分的に形成した開口部に複数種類の回路部品の中の比較的大形の回路部品を配置し、同基板の表面又は裏面のいずれかの片面側だけに他の全ての回路部品を配置した耐雷保護回路基板を矩形薄型の第一筐体に収納したアレスタユニットと、前記第一筐体と同一の厚さを有する横長台形の薄型の第二筐体に、前記第一筐体の下部から突出する前記基板の下端部にプラグイン方式で着脱自在に電気的かつ機械的に連結されるコネクタ部品を含む回路部品を組み込んだ端子台とを有し、前記アレスタユニットの前記基板の上辺に前記耐雷保護回路基板の劣化の有無を表示するための発光素子を配設し、前記端子台の中央部の前記コネクタ部品の両側に前記発光素子を点灯させるための一対の電源入力端子を配設し、前記端子台の両端部の上面から下面に貫通させて一対のネジ式接地端子を配設し、前記端子台の上端部に前記アレスタユニットの基端部を着脱可能に連結して全体を同一厚さの薄型にしたことを特徴とする。
【０００７】
この発明におけるアレスタユニットの耐雷保護回路基板は、プリント基板に耐雷素子や放電ギャップ、抵抗等の複数種類の回路部品を実装したもので、回路部品の中の比較的大形の回路部品をプリント基板に形成した穴、切欠きの開口部に配置し、基板の表面又は裏面のいずれかの面側に他の全ての回路部品を横置き仕様で配置することで、基板と回路部品の全体の最大厚さを可能な限り小さく規制して、耐雷保護回路基板を薄型化する。この薄型耐雷保護基板を同じ薄型の第一筐体に収納することで、アレスタユニットがスリムでコンパクトな薄型部品となる。この薄型アレスタユニットと同様な厚さで端子台を薄型にして、端子台の上端部にアレスタユニットの基端部を突き合わせてプラグイン方式で着脱自在に電気的かつ機械的に連結させて、全体がほぼ同一厚さの薄型でスリムなアレスタ装置が構成される。このような薄型スリムなアレスタ装置は電話回線や信号線が配備される配電盤等に取付スペース少なくして取り付けることができ、狭いスペースにも複数のアレスタ装置を厚さ方向に重合させて取り付けることが容易になる。
【０００８】
本発明は、前記構成において、アレスタユニットの第一筐体の一部に耐雷保護回路の劣化の有無を表示するための発光素子を配設し、端子台の両端部に前記発光素子を点灯させるための電源入力端子を配設した構造を特徴とする。ここでのアレスタユニットの発光素子は発光ダイオード等で、直流電圧又は交流電圧の印加で点灯する。この発光素子を点灯させる電源を供給するための電源入力端子は端子台の両端部に配置される一対の入力端子で、この一対は端子台の中央部に収納されるアレスタユニット用コネクタ部品の両側面に沿って配置される。
【０００９】
本発明は、前記構成において、端子台の両端部の上面から下面に貫通させてネジ式接地端子を配設し、同端子台の下面にレール取付金具を前記ネジ式接地端子でネジ止めして取り付け、このレール取付金具を端子台取付用ＤＩＮレールに着脱自在に連結する構造を特徴とする。ここでのレール取付金具はＤＩＮレールにワンタッチ式に連結されるもので、ＤＩＮレールはリレー回路等に汎用される設置用レール等が適用される。
【００１０】
また、本発明は、複数の薄型端子台を端子台厚さ方向で重合させて同一面上に整列させ、個々の端子台上に対応するアレスタユニットを連結すると共に、複数の端子台の両端部に直線状に並ぶ複数の電源入力端子に、この複数の電源入力端子の各々に接続される複数の接続端子部を連結バー部で一連に一体化した連接バー端子の各接続端子部を差込式に電気的かつ機械的に連接した構造を特徴とし、さらに、複数の薄型端子台を端子台厚さ方向で重合させて同一面上に整列させ、個々の端子台上に対応するアレスタユニットを連結すると共に、複数の端子台の両端部に直線状に並ぶ複数のネジ式接地端子に、上記連接バー端子の各接続端子部を差込式に電気的かつ機械的に連接した構造を特徴とする。
【００１１】
ここでの連接バー端子の接続端子部は二股形状等の金属爪で、端子台の弾性金属板の電源入力端子と金属ネジ等の接地端子のいずれにも挿脱可能に差し込まれて電気的かつ機械的に連接される。このような接続端子部の複数が１本形状の連結バー部で一体化されて連接バー端子を構成する。連接バー端子は、必要に応じて連結バー部がニッパー等で切断されて長さ調整され、或いは、複数の接続端子部毎に細分割されて分割された個々の接続端子部が単品の端子として使用される。
【００１２】
また、基板の両面に同一パターンで対向させて形成された表側プリント配線部及び裏側プリント配線部を、両プリント配線部の同一箇所に基板を貫通させて形成されたスルーホールを介することで電気的に並列接続して、この表裏両プリント配線部に同一の雷サージ電流を流すようにした耐雷保護回路基板を具備する。この場合、基板にリード付耐雷素子を含む回路部品を横置き仕様で配置し、前記耐雷素子のリードを基板のスルーホールに挿通して同リードで基板の表側プリント配線部と裏側プリント配線部を並列接続する。
【００１３】
ここでの基板はプリント基板で、耐雷素子や放電ギャップ等の耐雷保護回路部品が実装され、基板の複数箇所にプリントされたプリント配線部（配線パターン）で接続される。プリント配線部に流れる電流は様々であり、特に耐雷素子が接続されて雷サージ電流が流れるプリント配線部を基板の表裏両面に対向させて形成して、この表裏両面の一対のプリント配線部をスルーホールを介して電気的に並列接続して、両プリント配線部に同一の雷サージ電流を流すようにする。基板両面のプリント配線部のスルーホールを介した並列接続は、スルーホールに充填した半田による接続や、スルーホールに挿通した耐雷素子などの回路部品のリードによる接続である。このようにすれば基板に形成されたプリント配線部の雷サージ電流通過許容値が増加して、耐雷素子性能に見合う所定の電流容量を持つプリント配線が基板上に実現される。その結果、基板に実装した耐雷素子等の回路部品を電流容量の大きな電線で配線する作業が不要となって耐雷保護回路基板の製作が容易となると共に、配線のための電線類を使用しないので耐雷保護回路基板の薄型化、スリム化が容易となる。この耐雷保護回路基板の薄型化、スリム化は、基板の開口部に大形部品を配置する構成の組合せで、より効果的に実現される。
【００１４】
【発明の実施の形態】
以下、実施の形態を図面を参照して説明する。
【００１５】
図１は、複数台の薄型でスリムなアレスタ装置１０を１本のＤＩＮレール７０上に並列に重合させて設置したアレスタ装置ユニットを示す。１台のアレスタ装置１０を図２及び図３に示すと、アレスタ装置１０は薄型でスリムな略矩形のアレスタユニット２０と、同じ薄型でスリムな略台形の端子台４０を有し、端子台４０の上端部にアレスタユニット２０の基端部が着脱自在に電気的かつ機械的に連結され、端子台４０がＤＩＮレール７０上にレール取付金具５０を介して着脱自在に取り付けられる。複数台のアレスタ装置１０における端子台４０に一対の電源供給用連接バー端子６０や電話回線等の絶縁電線６５が着脱自在に電気的かつ機械的に接続される。
【００１６】
アレスタユニット２０は、図５に示すように耐雷保護回路基板２１と、この耐雷保護回路基板２１を収納する薄型略矩形の第一筐体３０を有する。耐雷保護回路基板２１は１枚の基板（プリント基板）２２に複数種類の回路部品を実装して構成される。図６に示す耐雷保護回路の回路部品は、雷サージを制限するための耐雷素子Ｚと放電ギャップＧ、耐雷素子の劣化で溶断するヒューズＦ、耐雷保護回路の劣化の有無を表示するための発光素子である発光ダイオードＬＥＤと整流ダイオードＤ、抵抗Ｒである。発光ダイオードＬＥＤは直流電圧又は交流電圧の印加で点灯し、このときに耐雷素子側の劣化でヒューズＦが溶断していると消灯する。発光ダイオードＬＥＤの電源電圧印加は、日常の保守・点検時に一対の連接バー端子６０とＤＣ３Ｖ電池等を使って行われる。
【００１７】
図６の基板２２は２箇所に矩形穴の開口部２３，２４を有し、一方の開口部２３に回路部品の中で最もサイズが大きくて嵩張る大形部品の例えば放電ギャップＧが配置されて基板２２のプリント配線部２６に半田接続され、他方の開口部２４にはガラス管形のヒューズＦが配置される。また、基板２２の片面側に耐雷素子Ｚと発光ダイオードＬＥＤと整流ダイオードＤ、抵抗Ｒが横置き仕様で配置されてプリント配線部２６に半田接続される。発光ダイオードＬＥＤは基板２２の上辺に形成した切欠き２５に配置される。このように基板２２の開口部２３に大形部品を配置し、基板２２の片面側だけに回路部品を基板２２からの設置高さが可能な限り小さくなるように横置き仕様で配置することで、基板２２の板厚方向での全体の厚さが最小限に小さくできて、耐雷保護回路基板２１をスリムな薄型とすることができ、これがスリムで薄型の第一筐体３０に収納される。
【００１８】
また、基板２２のプリント配線部２６の内の少なくとも雷サージ電流が流れるものは基板２２の表裏両面に同一パターンで一対を形成して、この一対をスルーホール接続した構成とすることが有効である。例えば、図７に示すように耐雷素子Ｚが接続されるプリント配線部２６は、基板２２の表面に形成された表側プリント配線部２６ａと基板２２の裏面に形成された裏側プリント配線部２６ｂを有する。表裏両面のプリント配線部２６ａ、２６ｂは同一パターンで互いに対向し、各々の両端部にはスルーホールＨが基板２２を貫通させて形成される。スルーホールＨに耐雷素子ＺのリードＺａを挿通し、リードＺａを各プリント配線部２６ａ、２６ｂに半田Ｚｂで接続して表裏両面の各プリント配線部２６ａ、２６ｂを並列接続する。そして、耐雷素子Ｚを介して表裏両面の一対のプリント配線部２６ａ、２６ｂに同一の雷サージ電流を流すようにする。
【００１９】
このようにすれば基板２２のプリント配線部２６の雷サージ電流通過許容値が約２倍に増加して、耐雷素子性能に見合う所定の電流容量を持つ薄型でスリムな耐雷保護回路基板２１が容易に構成できる。また、基板２２の表裏両面にプリント配線部２６を形成することで、基板の表裏両面のいずれにも回路部品を配置することができて、基板２２の表裏両面上の制約されたスペースの有効利用が図れ、基板２２自体の小形化が図れる。さらに、基板２２に実装した耐雷素子等の回路部品を電流容量の大きな電線で配線する作業が不要となって耐雷保護回路基板２１の製作が容易となる。
【００２０】
第一筐体３０は矩形筒型の樹脂ケースで、図５に示すように上下端部が開口して、下部の開口端部から基板２２の下端部２７が突出し、上部の開口端部は樹脂の蓋板３１で塞がれる。蓋板３１の一部に窓穴３２が形成され、この窓穴３２に接近させて発光ダイオードＬＥＤが配置される。第一筐体３０の下端から突出する基板２２の下端部２７は、表裏両面に櫛歯状にプリント配線部２６が露呈して、この突出下端部２７が端子台４０の雌型コネクタにプラグイン方式で電気的かつ機械的に接続される。第一筐体３０の下部の表裏両面には、端子台４０に第一筐体３０を取り付けるときに第一筐体３０の方向性を決めるガイド凸部３３が形成される。
【００２１】
端子台４０は、薄型の第一筐体３０と同じ厚さの薄型第二筐体４１と、この第二筐体４１内に組み込まれるベース基板（プリント基板）４２、コネクタ部品４３、クランプ式結線端子４４、ネジ式接地端子４５、電源入力端子４７等の回路部品で構成される。第二筐体４１は横長の略台形の樹脂ケースで、開口した上端部に第一筐体３０のガイド凸部３３が嵌挿されるガイド溝４６を有する。第二筐体４１内の中間位置に横長のベース基板４２が収納されてネジ止めされる。ベース基板４２の中央部上にコネクタ部品４３が半田接続される。コネクタ部品４３は雌形コネクタで、真上からアレスタユニット２０の基板２２の突出下端部２７が挿脱可能に嵌挿される。ベース基板４２の両端部上に一対の結線端子４４と一対の接地端子４５と一対の電源入力端子４７が配置され、ベース基板４２の裏面側に耐雷保護回路の抵抗が接続される。
【００２２】
結線端子４４は、ベース基板４２上に半田接続にて固定されたクランプ式端子部品で、２本の絶縁電線６５とベース基板４２の配線パターンとを結線する。この結線作業は、図５に示すように結線端子４４の上面に設けた穴からドライバー７１を差し込んで結線端子内部のクランプ部分を押し下げた状態で、結線端子４４の前面の穴から絶縁電線６５の導電部分を差し込むだけの簡単な作業で行われる。端子台４０の両端部に設置された一対の結線端子４４の各々に例えば電話回線のプラス側電線とマイナス側電線の２本を結線すると、プラス側電線同士が１０Ωの抵抗で接続され、マイナス側電線同士が１０Ωの抵抗で接続されて、端子台４０からアレスタユニット２０を交換等で取り外しても電話回線は切れないようにしてある。
【００２３】
ベース基板４２上のコネクタ部品４３と結線端子４４の間に直流電源用電源入力端子４７が配置される。一対の電源入力端子４７は直流電源端子又は交流電源端子で、板バネ状の金属平板で構成される。電源入力端子４７の下端部がベース基板４２を貫通して半田接続され、上部が結線端子４４の背面に沿うようにしてベース基板４２上に起立する。結線端子４４の上部とコネクタ部品４３の側面が対向して、この両者間に真上から平板状の連接バー端子６０が挿脱可能に差し込まれると、連接バー端子６０が電源入力端子４７に電気的かつ機械的に接続される。
【００２４】
一対の接地端子４５はネジ端子で、ベース基板４２から第二筐体４１の両端部を貫通して、第二筐体４１の下面のレール取付金具５０の両端部に螺合される。ネジ端子である接地端子４５の頭部をベース基板４２上に係合させてレール取付金具５０に締め付けることで、接地端子４５が第二筐体４１の両端部に取り付けられ、第二筐体４１の下面にレール取付金具５０が着脱可能に取り付けられる。
【００２５】
レール取付金具５０は、ＤＩＮレール７０にワンタッチ式に着脱される。図２（Ｃ）の下面図に示すように、レール取付金具５０は下面の中央部にＤＩＮレール７０の両端部が嵌合される係止段部５１，５２を有し、一方の係止段部５１は固定爪構造であり、他方の係止段部５２は可動爪５３とバネ材５５を有する可動爪構造である。レール取付金具５０の片端部に外部から手動で前後動操作されるスライド板５４が取り付けられ、スライド板５４の先端に可動爪５３が一体に形成される。スライド板５４は可動爪５３がＤＩＮレール７０に係止する最前進位置と、可動爪５３がＤＩＮレール７０との係止から外れる最後退位置の間で前後動し、バネ材５５はスライド板５４に前進させる方向に弾力を付勢する。
【００２６】
端子台４０に着脱自在に取り付けられる連接バー端子６０は、直流電源供給端子又は交流電源供給端子、或いは接地用端子の何れにも共用される汎用端子で、その形状例を図４に示すと、連接バー端子６０は複数の二股形状の接続端子部６１と、横一列に並ぶ複数の接続端子部６１の基端部を一体に連結する連結バー部６２で構成される。連接バー端子６０の接続端子部６１の数は任意で、連接バー部６２をニッパーなどで切断することで、長さを調整したり、接続端子部６１を個々に分離して単独に使用することもできる。接続端子部６１を端子台４０の電源入力端子４７に差し込んで接続することで、連接バー端子６０が発光ダイオード点灯用の電源端子として使用される。或いは、接続端子部６１を端子台４０の接地端子４５に差し込んで接続することで、連接バー端子６０が接地引出端子として使用される。
【００２７】
図１に示す装置ユニットは、１本のＤＩＮレール７０に５台のアレスタ装置１０を重合させて設置したもので、各アレスタ装置１０の端子台４０とアレスタユニット２０の各々が厚さを十分に小さくした薄型でスリムな形状ゆえに、５台のアレスタ装置の取付スペースが小さくできてＤＩＮレール７０が短くできると共に、レールの空き部分に他のアレスタ装置を追加設置することが容易になる。実際、１台のアレスタ装置１０は厚さ１０ｍｍ程度に薄型化（この薄型化の程度は従来品に比べて約1／３である）され、取付スペースは従来の取付スペースの約半分にまで小さくできることが分っている。そのため、複数のアレスタ装置１０を使用した装置ユニットの収納ボックスのコンパクト設計、設置場所の省スペース化が図れると共に、追加工事などで電話回線全てにアレスタ装置を取り付けるといったことも簡単に実現されて、多数本ある電話回線全ての端末機器を雷サージから保護することができる。
【００２８】
以上のようなアレスタ装置１０のＤＩＮレール７０等への設置は、次の要領で行われる。
【００２９】
1台のアレスタ装置１０の組立は、端子台４０にアレスタユニット２０を差し込むだけの簡単な作業で行われる。この場合、図５に示すように第一筐体３０のガイド突起３３を第二筐体４１のガイド溝４６に嵌合させることで、端子台４０とアレスタユニット２０を双方の極性を間違えて嵌合させるといった組立作業上のミスが防止される。アレスタユニット２０と一体の端子台４０がＤＩＮレール７０に取り付けられ、或いは、端子台４０だけがＤＩＮレール７０に取り付けられてから、端子台４０にアレスタユニット２０が嵌合される。
【００３０】
端子台４０のＤＩＮレール７０への取付は、図８に示すようにして行えばよい。端子台４０を傾けて下面のレール取付金具５０の一方の係止段部５１をＤＩＮレール７０の一端に係止させ、この係止点を支点に端子台４０をレール上へと下降回転させて他方の係止段部５２に突出させた可動爪５３をＤＩＮレール７０の他端に押付ける。この押付けで可動爪５３がバネ材５５を圧縮するように一旦後退してからバネ材５５の弾力で前進復帰してＤＩＮレール７０に係止し、端子台４０のワンタッチの取付が終了する。また、ＤＩＮレール７０から端子台４０を取り外す場合は、レール取付金具５０のスライド板５４をドライバー等で後退移動させて可動爪５３をＤＩＮレール７０から外した状態で、端子台４０を図８のように傾けることで行われる。
【００３１】
また、アレスタ装置１０はＤＩＮレール７０に取り付けられる以外に、必要に応じて配電盤等の取付面に直付けされる場合もある。この場合は、端子台４０からＤＩＮレール７０を取り外し、端子台４０の両端部の接地端子（ネジ端子）４５を使って端子台４０を取付面にネジ止めすることで行われる。
【００３２】
ＤＩＮレール７０に複数のアレスタ装置１０を重合させて設置した後、アレスタ装置ユニットの保守、点検等の必要時に、図９に示すように一対の連接バー端子６０を複数の端子台４０の一対の電源入力端子４７に差し込んで接続する。重合する複数の端子台４０の片端部には直流電圧の場合にプラス側電源入力端子４７が一列に定ピッチで並び、他端部にはマイナス側電源入力端子４７が一列に定ピッチで並び、この二列のそれぞれに連接バー端子６０の接続端子部６１を差し込む。そして、例えば一対の連接バー端子６０から電極引出線８１を引き出してＤＣ３Ｖ電池８２に接続する。電池８２のＤＣ３Ｖ電圧で複数のアレスタ装置１０のアレスタユニット２０に内蔵された発光ダイオードＬＥＤが点灯し、耐雷保護回路が劣化して機能しないアレスタ装置の発光ダイオードだけが点灯しない。この発光ダイオードの点灯の有無を目視で検知することで、複数のアレスタ装置１０の劣化の有無が検知され、劣化ありと検知されたアレスタ装置においては端子台をそのまま残してアレスタユニットだけが交換されて、経済的な交換が可能となる。
【００３３】
上記電池８２は発光ダイオードＬＥＤをアレスタ装置ユニットの保守・点検時の必要時だけ点灯させるもので、複数のアレスタ装置１０の各発光ダイオードＬＥＤを日常的に点灯させる場合は、図１０に示すような専用の電源アダプター８３を使用する。電源アダプター８３はＤＩＮレール７０に取り付けられてＡＣ１００Ｖの商用交流電圧をＤＣ３Ｖ電圧に変換する。電源アダプター８３とアレスタ装置ユニットに装着した一対の連接バー端子６０を電源ケーブル８４で接続すれば、複数のアレスタ装置１０における各発光ダイオードＬＥＤが日常的に点灯して、日常的に保守・点検が行える。
【００３４】
ＤＩＮレール７０に複数のアレスタ装置１０を設置したアレスタ装置ユニットの接地は、図１１に示すようにＤＩＮレール７０の一端に接地線85を歯形平座金８６を介して接続することで行う。歯形平座金８６は接地線８５とＤＩＮレール７０の接触をより確実なものにする。アレスタ装置１０の接地端子４５とレール取付金具５０とＤＩＮレール７０が同電位にあって、ＤＩＮレール７０を接地することで複数の各アレスタ装置１０が共通のＤＩＮレール７０で接地される。
【００３５】
また、図１２に示すように複数のアレスタ装置１０の接地端子４５に連接バー端子６０の接続端子部６１を差し込んで接続した状態で、連接バー端子６０を接地することで各アレスタ装置１０を接地するようにしてもよい。
【００３６】
【発明の効果】
本発明によれば、アレスタ装置を構成するアレスタユニットと端子台が共に略同一厚さの薄型部品であり、換言すればアレスタ装置の大幅な薄型化が実現されて、複数台のアレスタ装置を電話回線や信号線が配備される配電盤等に取付スペースを少なくして取り付けることができるようになり、狭いスペースにも複数のアレスタ装置を厚さ方向に重合させて取り付けることが容易になる効果がある。
【００３７】
また、アレスタユニットに内蔵した発光素子を点灯させる電源入力端子を端子台の両端部に配置することで、複数台の端子台を並列に重合させた状態で各端子台の電源入力端子に共通の連接バー端子を接続して発光素子点灯のための電源供給を行うことが容易にできるようになる。
【００３８】
また、複数台のアレスタ装置の電源供給のための配線に共通の連接バー端子を使用することで、発光素子点灯のための電源配線作業が工数少なくして簡単・迅速に行うことができる。さらに、アレスタ装置の端子台の両端部にネジ式接地端子を配置して、複数台の端子台を重合させた状態で各端子台のネジ式接地端子に共通の連接バー端子を接続するようにすれば、複数台のアレスタ装置の接地のための配線作業工数を少なくして簡単・迅速に行うことができる。
【００３９】
また、端子台の両端部のネジ式接地端子で端子台の下面にレール取付金具を取り付け、このレール取付金具を端子台取付用ＤＩＮレールに連結するようにすることで、複数台の薄型アレスタ装置をレール上に重合させて取り付け、取り外す作業がワンタッチ式に簡単・迅速に行えるようになる。
【００４０】
また、耐雷保護回路基板における基板の表裏両面に一対のプリント配線部を対向させて形成して、この一対のプリント配線部に同一の雷サージ電流を流すようにすることで、基板のプリント配線部の雷サージ電流通過許容値が増加して、耐雷素子性能に見合う所定の電流容量を持つ高信頼度の耐雷保護回路基板が提供できる。この耐雷保護回路基板は基板に実装した耐雷素子等の回路部品を電流容量の大きな電線で配線する作業が不要で製作が容易となると共に、配線用電線の省略で耐雷保護回路基板の薄型化とスリム化を容易にし、耐雷保護回路基板を筐体に収納したアレスタ装置の内一層の薄型化とスリム化を容易にする。
【図面の簡単な説明】
【図１】本発明の実施の形態を示すアレスタ装置の斜視図である。
【図２】（Ａ）はアレスタ装置の平面図、（Ｂ）は正面図、（Ｃ）は下面図である。
【図３】（Ａ）はアレスタ装置の右側面図、（Ｂ）は左側面図である。
【図４】（Ａ）はアレスタ装置に装着される連接バー端子の正面図、（Ｂ）は側面図である。
【図５】アレスタ装置の部分断面を含む分解正面図である。
【図６】（Ａ）はアレスタ装置における耐雷保護回路基板の正面図、（Ｂ）はｔ−ｔ線断面図である。
【図７】図６の耐雷保護回路基板の部分拡大断面図である。
【図８】ＤＩＮレールにアレスタ装置を取り付けるときの正面図である。
【図９】アレスタ装置に連接バー端子を取り付けるときの正面図である。
【図１０】複数のアレスタ装置を重合させたアレスタ装置ユニットの側面図である。
【図１１】複数のアレスタ装置を重合させたアレスタ装置ユニットの平面図である。
【図１２】複数のアレスタ装置を重合させたアレスタ装置ユニットの部分平面図である。
【符号の説明】
１０    アレスタ装置
２０    アレスタユニット
２１    耐雷保護回路基板
２２    基板
２３    開口部
Ｇ    放電ギャップ（大形の回路部品）
Ｚ    耐雷素子
Ｚａ    リード
Ｚｂ    半田
Ｈ    スルーホール
２６    プリント配線部
２６ａ    表側プリント配線部
２６ｂ    裏側プリント配線部
３０    第一筐体
３３    ガイド突起
４０    端子台
４１    第二筐体
４２    ベース基板
４３    コネクタ部品
４４    結線端子
４５    ネジ式接地端子
４６    ガイド溝
４７    電源入力端子
５０    レール取付金具
５１，５２    係止段部
５３    可動爪
５４    スライド板
５５    バネ材
６０    連接バー端子
６１    接続端子部
６２    連結バー部
６５    絶縁電線
７０    ＤＩＮレール
８２    ＤＣ３Ｖ電池
８３    電源アダプター
８５    接地線
【図１】
0004767459.tif 000002
【図２】
0004767459.tif 000003
【図３】
0004767459.tif 000004
【図４】
0004767459.tif 000005
【図５】
0004767459.tif 000006
【図６】
0004767459.tif 000007
【図７】
0004767459.tif 000008
【図８】
0004767459.tif 000009
【図９】
0004767459.tif 000010
【図１０】
0004767459.tif 000011
【図１１】
0004767459.tif 000012
【図１２】
0004767459.tif 000013